【手続補正書】
【提出日】平成19年11月14日(2007.11.14)
【手続補正１】
【補正対象書類名】明細書
【補正対象項目名】特許請求の範囲
【補正方法】変更
【補正の内容】
【特許請求の範囲】
【請求項１】
流管（１０３Ａ、１０３Ｂ、２０１）を振動させているドライバ（１０４、２０４）に印加される駆動信号を生成する駆動回路を初期設定する方法（４００）であって、
前記流管（１０３Ａ、１０３Ｂ、２０１）の振動を開始するよう、所定の利得で前記駆動信号を前記ドライバ（１０４、２０４）に印加するステップ（４０１）と、
前記流管（１０３Ａ、１０３Ｂ、２０１）に関連するピックオフ・センサ（１０５、１０５’、２０５、２０５’）から受け取ったピックオフ信号の速度を維持するよう、前記ドライバ（１０４、２０４）に印加される前記駆動信号の駆動電圧を制御するステップ（４０２）と、
前記ピックオフ信号に基づき、ノッチ・フィルタが前記流管（１０３Ａ、１０３Ｂ、２０１）の駆動周波数に収束したかどうかを決定するステップ（４０３）と、
前記ノッチ・フィルタが前記駆動周波数に収束したとの決定に応答して、前記流管（１０３Ａ、１０３Ｂ、２０１）の変位を維持するよう、前記ドライバ（１０４、２０４）に印加する前記駆動信号の前記駆動電圧を制御するステップ（４０４）と、
を含む方法。
【請求項２】
前記駆動周波数を閾値周波数と比較するステップと、
前記駆動周波数が前記閾値周波数より大きいことに応答して、前記流管（１０３Ａ、１０３Ｂ、２０１）が直管（２０１）であると決定するステップと、
前記駆動周波数が前記閾値周波数以下であることに応答して、前記流管（１０３Ａ、１０３Ｂ、２０１）が彎曲した流管（１０３Ａ、１０３Ｂ）であると決定するステップと、をさらに含む、請求項１に記載の方法（４００）。
【請求項３】
前記流管（１０３Ａ、１０３Ｂ、２０１）の振動を開始するよう、前記駆動信号を前記ドライバ（１０４、２０４）に印加する前記ステップ（４０１）が、ノッチ・フィルタを初期設定するステップを含む、請求項１に記載の方法（４００）。
【請求項４】
所望の範囲内にあるノッチ・フィルタ値に前記ノッチ・フィルタが収束したかどうかを決定するステップ（８０４）と、
前記ノッチ・フィルタ値が前記所望の範囲外にあるとの決定に応答して、駆動信号を前記ドライバ（１０４、２０４）に印加する前記ステップに戻るステップ（８１０）と、
をさらに含む、請求項１に記載の方法（４００）。
【請求項５】
前記ノッチ・フィルタ値が前記所望の範囲内にあるかどうかを決定する前記ステップが、前記ノッチ・フィルタ値を最小値及び最大値と比較するステップを含む、請求項４に記載の方法（４００）。
【請求項６】
前記流管（１０３Ａ、１０３Ｂ、２０１）の振動を開始するよう、前記駆動信号を前記ドライバ（１０４、２０４）に印加する前記ステップ（４０１）が、
前記駆動信号の振幅を初期振幅に設定するステップ（７０３）と、
前記駆動信号の初期印加時間を設定するステップ（７０４）と、
前記印加時間の持続時間に前記駆動信号を前記ドライバ（１０４、２０４）に印加するステップ（７０６）と、
を含む、請求項１に記載の方法（４００）。
【請求項７】
前記流管（１０３Ａ、１０３Ｂ、２０１）の振動を開始するよう、前記駆動信号を前記ドライバ（１０４、２０４）に印加する前記ステップ（４０１）が、
前記ピックオフ信号の振幅が前記ノッチ・フィルタに対して十分かどうかを決定するステップ（７０７）と、
前記ピックオフ信号の前記振幅が前記ノッチ・フィルタに対して十分でないとの決定に応答して、前記駆動信号の前記振幅を調整するステップ（７０８）と、
前記駆動信号の前記振幅が十分でないとの決定に応答して、前記印加時間を調整するステップ（７０９）と、
を含む、請求項６に記載の方法（４００）。
【請求項８】
前記変位を維持するよう、前記ドライバ（１０４、２０４）に印加される前記駆動信号の前記駆動電圧を制御する前記ステップ（４０４）が、
プログラム可能利得振幅を設定するステップ（１１０１）と、
前記流管（１０３Ａ、１０３Ｂ、２０１）に関連付けられた前記ピックオフ・センサ（１０５、１０５’、２０５、２０５’）からの前記ピックオフ信号の振幅を維持するよう、前記駆動信号を生成するステップ（１１０３）と、
前記ピックオフ信号の前記振幅が維持されるかどうかを決定するステップ（１１０４）と、
前記ピックオフ信号の前記振幅が維持されないことに応答して、免除プロセスを実施するステップ（１１０５）と、
を含む、請求項１に記載の方法（４００）。
【請求項９】
前記ノッチ・フィルタが前記駆動周波数に収束したという決定に応答して、流量計センサ・パラメータを決定するステップ（８０３）をさらに含む、請求項１に記載の方法（４００）。
【請求項１０】
前記流量計センサ・パラメータを決定する前記ステップ（８０３）が、前記ドライバ（１０４、２０４）に印加される前記駆動信号の比例利得を決定するステップ（９０１）を含む、請求項９に記載の方法（４００）。
【請求項１１】
前記流量計センサ・パラメータを決定する前記ステップ（８０３）が、前記ドライバ（１０４、２０４）に印加される前記駆動信号の積分利得を決定するステップ（９０２）を含む、請求項９に記載の方法（４００）。
【請求項１２】
前記変位を維持するよう、前記ドライバ（１０４、２０４）に印加される前記駆動信号の前記駆動電圧を制御する前記ステップ（４０４）が、駆動ループ利得がロックされるかどうかを決定するテストを行うステップ（１０００）を含む、請求項１に記載の方法（４００）。
【請求項１３】
材料が流れる流管（１０３Ａ、１０３Ｂ、２０１）と、前記流管（１０３Ａ、１０３Ｂ、２０１）を振動させるドライバ（１０４、２０４）と、前記振動を測定するために前記流管（１０３Ａ、１０３Ｂ、２０１）に関連付けられたピックオフ・センサ（１０５、１０５’、２０５、２０５’）と、前記流管（１０３Ａ、１０３Ｂ、２０１）を振動させる前記ドライバ（１０４、２０４）に送られる駆動信号を生成し前記ピックオフ・センサ（１０５、１０５’、２０５、２０５’）からピックオフ信号を受け取る計量電子回路（２０）とを備える、材料のプロセス・パラメータを測定するための装置（５〜２５）であって、
前記計量電子回路（２０）における回路が、
ａ）前記流管（１０３Ａ、１０３Ｂ、２０１）の振動を開始するよう、所定の利得で前記駆動信号を前記ドライバ（１０４、２０４）に印加し（４０１）、
ｂ）前記ピックオフ・センサ（１０５、１０５’、２０５、２０５’）から受け取った前記ピックオフ信号の速度を維持するよう、前記ドライバ（１０４、２０４）に印加される前記駆動信号の駆動電圧を制御し（４０２）、
ｃ）前記ピックオフ信号に基づき、ノッチ・フィルタが前記流管（１０３Ａ、１０３Ｂ、２０１）の駆動周波数に収束したかどうかを決定し（４０３）、
ｄ）前記ノッチ・フィルタが前記駆動周波数に収束したとの決定に応答して、前記流管（１０３Ａ、１０３Ｂ、２０１）の変位を維持するよう、前記ドライバ（１０４、２０４）に印加する前記駆動信号の前記駆動電圧を制御する（４０４）
よう構成される装置（５〜２５）。
【請求項１４】
前記回路が、前記駆動周波数を閾値周波数と比較し、前記駆動周波数が前記閾値周波数より大きいことに応答して、前記流管（１０３Ａ、１０３Ｂ、２０１）が直管（２０１）であると決定し、前記駆動周波数が前記閾値周波数以下であることに応答して、前記流管（１０３Ａ、１０３Ｂ、２０１）が彎曲した流管（１０３Ａ、１０３Ｂ）であると決定するよう構成される、請求項１３に記載の装置（５〜２５）。
【請求項１５】
前記回路が、ノッチ・フィルタを初期設定するよう構成される、請求項４６に記載の装置。
【請求項１６】
前記回路が、前記ノッチ・フィルタが所望の範囲内にあるノッチ・フィルタ値に収束したかどうかを決定し（８０４）、前記ノッチ・フィルタ値が前記所望の範囲外であるとの決定に応答して（４０１）動作ａ）に戻る（８１０）よう構成される、前記計量電子回路（２０）における回路をさらに含む、請求項１３に記載の装置（５〜２５）。
【請求項１７】
前記回路が、前記ノッチ・フィルタ値を最小値及び最大値と比較するよう構成される、請求項１６に記載の装置（５〜２５）。
【請求項１８】
前記回路が、前記駆動信号の振幅を初期振幅に設定し、前記駆動信号の初期印加時間を設定し、前記印加時間の持続時間の間、前記駆動信号を前記ドライバ（１０４、２０４）に印加するよう構成される、請求項１３に記載の装置（５〜２５）。
【請求項１９】
前記回路が、前記ピックオフ信号の振幅が前記ノッチ・フィルタに対して十分かどうかを決定し、前記ピックオフ信号の前記振幅が前記ノッチ・フィルタに対して十分でないとの決定に応答して、前記駆動信号の前記振幅を調整し、前記駆動信号の前記振幅が十分でないとの決定に応答して、前記印加時間を調整するよう構成される、請求項１３に記載の装置（５〜２５）。
【請求項２０】
前記回路が、
プログラム可能利得振幅を設定し、
前記流管（１０３Ａ、１０３Ｂ、２０１）に関連付けられた前記ピックオフ・センサ（１０５、１０５’、２０５、２０５’）からの前記ピックオフ信号の振幅を維持するよう、前記駆動信号を生成し（１１０３）、
前記ピックオフ信号の前記振幅が維持されるかどうかを決定し（１１０４）、  前記ピックオフ信号の前記振幅が維持されないことに応答して、免除プロセスを実施する（１１０５）
よう構成される、請求項１３に記載の装置（５〜２５）。
【請求項２１】
前記回路が、前記ノッチ・フィルタが前記駆動周波数に収束したとの決定に応答して流量計センサ・パラメータを決定するよう構成される、請求項１３に記載の装置（５〜２５）。
【請求項２２】
前記回路が、前記ドライバ（１０４、２０４）に印加される前記駆動信号の比例利得を決定するよう構成される、請求項２１に記載の装置（５〜２５）。
【請求項２３】
前記回路が、前記ドライバ（１０４、２０４）に印加される前記駆動信号の積分利得を決定するよう構成される、請求項２１に記載の装置（５〜２５）。
【請求項２４】
前記回路が、駆動ループ利得がロックされるかどうかを決定するテストを行うよう構成される、請求項１３に記載の装置（５〜２５）。